(57)【特許請求の範囲】
【請求項１】
供給された水を加熱して給湯する給湯熱源器と、該給湯熱源器を通った湯水を浴槽に落とし込むための湯張り通路と；該湯張り通路に設けられ浴槽水位を水圧によって検出する水位検出手段と；この水位検出手段により水位検出を行う前には前記給湯熱源器の加熱動作を停止して又は停止した状態により加熱されていない水を上記湯張り通路から浴槽に落とし込む注水制御部と；が設けられ、湯張り運転動作時に浴槽水位を検出するときには、上記注水制御部により給湯熱源器から加熱されていない水を浴槽に落とし込んで上記湯張り通路を加熱されていない水で満たした状態にして上記水位検出手段による浴槽水位の検出を行うことを特徴とする湯張り機能付き給湯器。
【請求項２】
供給された水を加熱して給湯する給湯熱源器と、該給湯熱源器を通った湯水を浴槽に落とし込むための湯張り通路と、該湯張り通路に設けられ浴槽水位を水圧によって検出する水位検出手段とを有し、湯張り運転中に予め定められたタイミングで上記水位検出手段による浴槽水位検出動作を行う湯張り機能を備えた給湯器において、湯張りの注湯指令が発せられたときに、湯張り通路から給湯熱源器により給湯加熱された湯を浴槽に落とし込む注湯制御部と；注水指令が発せられたときに、前記給湯熱源器の加熱動作を停止して湯張り通路から給湯加熱されていない水を浴槽に落とし込む注水制御部と；湯張り運転中に水位検出手段による水位検出動作が行われる度に、その水位検出タイミング直前に、注水指令を発して上記注湯制御部による注湯動作から上記注水制御部による注水動作に切り換えて湯張り通路内を湯から水に置換し、この状態で水位検出手段による水位検出動作を行わせる注湯・注水切り換え制御部と；を設けたことを特徴とする湯張り機能付き給湯器。
【請求項３】
注湯・注水切り換え制御部は、浴槽の設定水位よりも予め定めた微小な水位分だけ低めの水位情報を検知したときにのみ、注水指令を発して上記注湯制御部による注湯動作から上記注水制御部による注水動作に切り換えて湯張り通路内を湯から水に置換し、この状態で水位検出手段による水位検出動作を行わせる構成としたことを特徴とする請求項２記載の湯張り機能付き給湯器。
【請求項４】
湯張り運転中に、注湯制御部による注湯動作が行われているときには、湯張り通路から浴槽に落とし込まれる湯の温度を、注水制御部による注水動作によって浴槽湯水湯温が下げられる分、風呂設定温度よりも高めとなるように給湯熱源器の加熱熱量を制御し、浴槽水位が設定水位に達したときの浴槽水の温度を風呂設定温度に制御する注湯温度制御部を設けたことを特徴とする請求項２又は請求項３記載の湯張り機能付き給湯器。
【請求項５】
供給された水を加熱して給湯する給湯熱源器と、該給湯熱源器を通った湯水を浴槽に落とし込むための湯張り通路と；該湯張り通路に設けられ浴槽水位を水圧によって検出する水位検出手段と；前記給湯熱源器に流れ込む入水の温度を検出する入水温度検出手段と；前記水位検出手段により水位検出を行う前には上記入水温度検出手段により検出される入水温度よりも気泡飽和温度に達する前の予め定めた気泡が発生しない温度分だけ給湯熱源器により加熱して温度上昇した湯水を湯張り通路から浴槽に落とし込む注水制御部とを設けたことを特徴とする湯張り機能付き給湯器。
【請求項６】
給湯熱源器に流れ込む入水の温度を検出する入水温度検出手段が設けられており、注水制御部は、湯張り通路から給湯熱源器により加熱されていない水を浴槽に落とし込むのに代えて、上記入水温度検出手段により検出される入水温度よりも気泡飽和温度に達する前の予め定めた気泡が発生しない温度分だけ給湯熱源器により加熱して温度上昇した湯水を湯張り通路から浴槽に落とし込む構成としたことを特徴とする請求項２または請求項３または請求項４記載の湯張り機能付き給湯器。
【発明の詳細な説明】
【０００１】
【発明の属する技術分野】
本発明は、浴槽へ自動的に湯を張ることができる湯張り機能を備えた湯張り機能付き給湯器に関するものである。
【０００２】
【従来の技術】
図５には湯張り機能付き給湯器の一例が示されている。この湯張り機能付き給湯器（器具）は、同図に示すように、給湯熱源器である給湯熱交換器１と追い焚き熱源器である追い焚き熱交換器２を有し、上記給湯熱交換器１の入側には水供給源から水を給湯熱交換器１に導くための給水通路３が接続され、給湯熱交換器１の出側には該給湯熱交換器１から流れ出た湯水を台所やシャワー等の給湯場所に導くための給湯通路４が接続されている。
【０００３】
上記追い焚き熱交換器２の一端側には往管５の一端側が接続され、往管５の他端側は循環金具２７を介して浴槽６に連通接続されている。また、追い焚き熱交換器２の他端側には通路７の一端側が接続され、この通路７の他端側は循環ポンプ８の吐出口に接続されている。循環ポンプ８の吸入口には戻り管１０の一端側が接続され、戻り管１０の他端側は上記循環金具２７を介して浴槽６に連通接続されている。上記往管５と追い焚き熱交換器２と循環ポンプ８と戻り管１０によって浴槽６の湯水を循環ポンプ８の駆動により循環させるための追い焚き循環通路１１が構成されている。
【０００４】
上記追い焚き循環通路１１の通路７と給湯通路４とを連通接続する注湯通路１２が設けられており、この注湯通路１２には該通路の開閉を行う電磁弁により形成された湯張り制御弁１３と、水圧により浴槽６の水位を検出する水位検出手段としての水位センサ１４とが介設されている。上記給湯熱交換器１から給湯通路４と注湯通路１２と追い焚き循環通路１１とを順に通って浴槽６に至るまでの通路によって湯張り通路が構成されている。
【０００５】
また、上記給湯熱交換器１を燃焼加熱する給湯バーナ１５と、追い焚き熱交換器２を燃焼加熱する追い焚きバーナ１６とが設けられており、上記各バーナ１５，１６には燃料ガス供給源に連通された通路（図示せず）から分岐されたガス供給通路１７，１８がそれぞれ接続されている。燃料ガス供給源から各バーナに至るまでの通路には弁開度でもってバーナへの供給燃料ガス量を可変制御する比例弁（図示せず）が介設されている。
【０００６】
なお、図５に示す２０は給水通路３の通水流量を検出する水量センサを示し、２１は給湯熱交換器１に流れ込む入水温度を検出する入水温度検出手段としての入水サーミスタを示し、２２は給湯熱交換器１から流れ出た湯水の温度を検出する出湯サーミスタを示し、２３は追い焚き循環通路１１を循環する浴槽湯水の温度を風呂の温度として検出する風呂温度センサを示し、２４は追い焚き循環通路１１の循環湯水流を検出する水流スイッチを示している。
【０００７】
この湯張り機能付き給湯器には給湯運転や湯張り運転や追い焚き運転等の器具運転を制御する制御装置２５が設けられており、この制御装置２５にはリモコン２６が接続されている。上記リモコン２６には給湯（湯張り）温度を設定する給湯温度設定手段や、浴槽６の水位を設定する浴槽水位設定手段や、風呂の温度を設定する風呂温度設定手段等が設けられている。
【０００８】
上記制御装置２５は、水量センサ２０等の様々なセンサ出力の情報や、給湯設定温度等のリモコン２６の情報を取り込み、これら取り込んだ情報に基づき給湯運転や湯張り運転や追い焚き運転等を次のように制御する。例えば、台所やシャワー等の給湯場所に導かれた給湯通路４の給湯栓（図示せず）が開栓され、給水通路３の通水が水量センサ２０によって検出されると、給湯運転による給湯バーナ１５の燃焼を開始して、給湯される湯温がリモコン２６に設定されている給湯設定温度となるように給湯バーナ１５の加熱熱量を上記比例弁の弁開度を制御することで（つまり、給湯バーナ１５への供給燃料ガス量を制御することで）制御し、その給湯バーナ１５の燃焼火炎の熱によって給湯熱交換器１の通水を加熱して湯を作り出し該湯を給湯通路４を通して所望の給湯場所に給湯する。上記給湯栓が閉栓され、水量センサ２０が給水通路３の通水停止を検知すると、給湯バーナ１５の燃焼を停止して、次の給湯運転に備える。
【０００９】
湯張り運転を行うときには、湯張り制御弁１３を開弁し、上記同様に、給湯熱交換器１で湯を作り出し、給湯熱交換器１から給湯通路４と注湯通路１２と追い焚き循環通路１１を順に介して浴槽６にほぼ設定温度の湯を落とし込み、水位センサ１４により検出される浴槽水位がリモコン２６に設定されている浴槽設定水位に達したときに、湯張り制御弁１３を閉弁して湯張り運転を終了する。
【００１０】
追い焚き運転を行うときには、循環ポンプ８を駆動して追い焚き循環通路１１の循環水流が水流スイッチ２４により検出された以降に、追い焚きバーナ１６の燃焼を開始させ、追い焚き熱交換器２を流れる循環湯水を加熱して追い焚きを行い、風呂温度センサ２３により検出される風呂温度がリモコン２６に設定されている風呂設定温度に達したときに追い焚きバーナ１６の燃焼を停止させ、循環ポンプ８を停止して追い焚き運転を終了する。
【００１１】
【発明が解決しようとする課題】
ところで、湯張り運転時に、給水通路３から供給された水が給湯熱交換器１でほぼ湯張りの設定温度まで加熱されることにより、給水通路３から供給された水に溶存していた酸素や窒素等の大気成分が飽和して気泡が発生し、この発生した気泡は湯水の流れと共に給湯熱交換器１から流れ出ていくので、上記給湯通路４や注湯通路１２や追い焚き循環通路１１から成る湯張り通路内の湯中には気泡が点在してしまう場合が多々ある。
【００１２】
上記のように湯張り通路内の湯中に気泡が多数点在すると、水圧によって浴槽水位を検出する水位センサ１４は上記気泡により正確な浴槽水位を検出することができないという問題が生じ、このことによって、リモコン２６に設定されている浴槽水位に精度良く湯を張ることができないという問題が発生する。
【００１３】
この発明は上記課題を解決するためになされたものであり、その目的は、湯張り通路内の湯水中に、加熱に起因した気泡が含有されていない状態で、水位検出手段による浴槽水位検出動作を行うように構成し、水位検出手段により正確な浴槽水位を得ることができて設定水位に精度良く湯張りを行うことが可能な湯張り機能付き給湯器を提供することにある。
【００１４】
【課題を解決するための手段】
上記目的を達成するために、この発明は次のような構成をもって前記課題を解決する手段としている。すなわち、第１の発明は、供給された水を加熱して給湯する給湯熱源器と、該給湯熱源器を通った湯水を浴槽に落とし込むための湯張り通路と；該湯張り通路に設けられ浴槽水位を水圧によって検出する水位検出手段と；この水位検出手段により水位検出を行う前には前記給湯熱源器の加熱動作を停止して又は停止した状態により加熱されていない水を上記湯張り通路から浴槽に落とし込む注水制御部と；が設けられ、湯張り運転動作時に浴槽水位を検出するときには、上記注水制御部により給湯熱源器から加熱されていない水を浴槽に落とし込んで上記湯張り通路を加熱されていない水で満たした状態にして上記水位検出手段による浴槽水位の検出を行う構成をもって前記課題を解決する手段としている。
【００１５】
第２の発明は、供給された水を加熱して給湯する給湯熱源器と、該給湯熱源器を通った湯水を浴槽に落とし込むための湯張り通路と、該湯張り通路に設けられ浴槽水位を水圧によって検出する水位検出手段とを有し、湯張り運転中に予め定められたタイミングで上記水位検出手段による浴槽水位検出動作を行う湯張り機能を備えた給湯器において、湯張りの注湯指令が発せられたときに、湯張り通路から給湯熱源器により給湯加熱された湯を浴槽に落とし込む注湯制御部と；注水指令が発せられたときに、前記給湯熱源器の加熱動作を停止して湯張り通路から給湯加熱されていない水を浴槽に落とし込む注水制御部と；湯張り運転中に水位検出手段による水位検出動作が行われる度に、その水位検出タイミング直前に、注水指令を発して上記注湯制御部による注湯動作から上記注水制御部による注水動作に切り換えて湯張り通路内を湯から水に置換し、この状態で水位検出手段による水位検出動作を行わせる注湯・注水切り換え制御部と；を設けた構成をもって前記課題を解決する手段としている。
【００１６】
第３の発明は、上記第２の発明を構成する注湯・注水切り換え制御部は、浴槽の設定水位よりも予め定めた微小な水位分だけ低めの水位情報を検知したときにのみ、注水指令を発して上記注湯制御部による注湯動作から上記注水制御部による注水動作に切り換えて湯張り通路内を湯から水に置換し、この状態で水位検出手段による水位検出動作を行わせる構成をもって前記課題を解決する手段としている。
【００１７】
第４の発明は、上記第２又は第３の発明の構成に加えて、湯張り運転中に、注湯制御部による注湯動作が行われているときには、湯張り通路から浴槽に落とし込まれる湯の温度を、注水制御部による注水動作によって浴槽湯水湯温が下げられる分、風呂設定温度よりも高めとなるように給湯熱源器の加熱熱量を制御し、浴槽水位が設定水位に達したときの浴槽水の温度を風呂設定温度に制御する注湯温度制御部を設けた構成をもって前記課題を解決する手段としている。
【００１８】
第５の発明は、供給された水を加熱して給湯する給湯熱源器と、該給湯熱源器を通った湯水を浴槽に落とし込むための湯張り通路と；該湯張り通路に設けられ浴槽水位を水圧によって検出する水位検出手段と；前記給湯熱源器に流れ込む入水の温度を検出する入水温度検出手段と；前記水位検出手段により水位検出を行う前には上記入水温度検出手段により検出される入水温度よりも気泡飽和温度に達する前の予め定めた気泡が発生しない温度分だけ給湯熱源器により加熱して温度上昇した湯水を湯張り通路から浴槽に落とし込む注水制御部とを設けた構成をもって課題を解決する手段としている。
第６の発明は、上記第２または第３または第４の発明の構成を備え、給湯熱源器に流れ込む入水の温度を検出する入水温度検出手段が設けられており、注水制御部は、湯張り通路から給湯熱源器により加熱されていない水を浴槽に落とし込むのに代えて、上記入水温度検出手段により検出される入水温度よりも気泡飽和温度に達する前の予め定めた気泡が発生しない温度分だけ給湯熱源器により加熱して温度上昇した湯水を湯張り通路から浴槽に落とし込む構成をもって前記課題を解決する手段としている。
【００１９】
上記構成の発明において、湯張り時に、注水制御部によって給湯熱源器の加熱動作を停止し、給湯熱源器により加熱されていない水を湯張り通路から浴槽に落とし込むことによって、湯張り通路内は給湯加熱されていない水で満たされることになる。換言すれば、給湯熱源器の通水は給湯加熱されないので、給湯熱源器で気泡が発生せず、湯張り通路内は気泡が含有されていない水によって満たされることになる。この状態で水位検出手段による浴槽水位検出動作を行うことによって、前記気泡に起因した問題が防止され、水位検出手段によって正確な浴槽水位を検出することが可能となり、水位検出手段により検出された浴槽水位に基づき設定水位に精度良く湯を張ることが可能である。
【００２０】
【発明の実施の形態】
以下に、この発明に係る実施形態例を図面に基づき説明する。
【００２１】
第１の実施形態例は、前記図５に示すようなシステム構成を有し、図１にはこの第１の実施形態例において特徴的な制御構成が示されている。この第１の実施形態例に示す制御装置２５は、図１に示すように、注水制御部３０と、給湯バーナ燃焼制御部３１と、湯張り時追い焚き制御部３２とを有して構成されている。なお、図５のシステム構成の説明は前述したので重複説明は省略する。
【００２２】
給湯バーナ燃焼制御部３１は、水量センサ２０によって給水通路３の通水が検知されると、ガス供給通路１７に介設されている電磁弁（図示せず）を開弁して給湯バーナ１５へ燃料ガスを供給し、給湯バーナ１５の燃焼を開始する。そして、水量センサ２０により検出される給水通路３の通水流量を給湯流量として取り込み、また、入水サーミスタ２１により検出される入水温度と、出湯サーミスタ２２により検出される出湯温度と、制御装置２５に設定されている給湯（又は湯張り）の設定温度とを取り込み、給湯バーナ燃焼制御部３１は、給湯バーナ１５の燃焼開始後、それら取り込んだセンサ出力等に基づき、給湯される湯温が制御装置２５に設定されている給湯設定温度となるように給湯バーナ１５の燃焼加熱熱量を比例弁の弁開度でもって制御する。
【００２３】
また、給湯バーナ燃焼制御部３１は、水量センサ２０により給水通路３の通水停止を検知すると、ガス供給通路１７の電磁弁を閉弁して給湯バーナ１５の燃焼を停止する。なお、上記給湯バーナ１５の加熱熱量の制御には様々な制御手法があり、ここでは、それらの手法のうちのどの手法を用いてもよく、その説明は省略する。
【００２４】
注水制御部３０は、リモコン２６に設けられている湯張り開始ボタン等が押されてリモコン２６から湯張り開始指令が発せられると、この湯張り開始指令を受けて給湯バーナ燃焼制御部３１に燃焼を停止させるための燃焼停止指令信号を発し、給湯バーナ燃焼制御部３１は、上記燃焼停止指令を受けて、給湯バーナ１５を給湯燃焼停止状態にする。
【００２５】
また、注水制御部３０は、上記湯張り開始指令が発せられたことを検知すると、給湯熱交換器１により加熱されていない水を浴槽６に注水し、制御装置２５に設定されている浴槽設定水位に水を張る。
【００２６】
例えば、次のようにして設定水位に水を張る。まず、循環ポンプ８を予め定められた時間（例えば、１分間）駆動して（図３に示すフローチャートのステップ１０２）、その循環ポンプ８の駆動による追い焚き循環通路１１の循環水流を水流スイッチ２４により検出したか否かを判断する（ステップ１０３）。循環水流を水流スイッチ２４により検出できなかったときには浴槽６に湯水がない、又は、浴槽６の水位が循環金具２７の配設位置よりも低いと判断し、湯張り制御弁１３を開弁して給湯熱交換器１から給湯通路４と注湯通路１２と追い焚き循環通路１１を順に通して浴槽６に注水する。この注水中には、上記の如く、給湯バーナ１５の燃焼加熱動作は停止状態にあるので、給湯熱交換器１から加熱されていない水が流れ出ることになり、浴槽６には給湯熱交換器１により加熱されていない水が溜まっていく。
【００２７】
注水を開始してから水量センサ２０により検出された流量を積算することによって注水開始時からの注水量が求められ、この求められた注水開始時からの注水量が予め定めた図２に示すｘリットル（例えば、４０リットル）に達したときに湯張り制御弁１３を閉弁して浴槽６への注水を一旦停止する（ステップ１０４）。
【００２８】
そして、上記同様に、循環ポンプ８を駆動し（ステップ１０５）、水流スイッチ２４によって循環ポンプ８の駆動による追い焚き循環通路１１の循環水流の有無を判断し（ステップ１０６）、追い焚き循環通路１１の循環水流を水流スイッチ２４により検出できなかったと判断したときには、湯張り制御弁１３を開弁して上記同様に給湯熱交換器１により加熱されていない水を予め定めた図２に示すｙリットル（例えば、１０リットル）を浴槽６に注水する（ステップ１０７）。
【００２９】
さらに、上記同様に、循環ポンプ８を駆動し（ステップ１０８）、循環ポンプ８の駆動による追い焚き循環通路１１の循環水流の有無を水流スイッチ２４によって判断し（ステップ１０９）、循環水流を検出できなかったときには、給湯熱交換器１により加熱されていない水を予め定めた図２に示すｚリットル（例えば、１５リットル）だけ浴槽６に注水する（ステップ１１０）。
【００３０】
そして、再び、循環ポンプ８を駆動し（ステップ１１１）、循環ポンプ８の駆動による追い焚き循環通路１１の循環水流の有無を水流スイッチ２４によって判断する（ステップ１１２）。循環水流を検出できなかったときには、湯張り運転を開始してから循環金具２７の配設位置を越えるのに十分な注水量を浴槽６に注水したのにも拘らず、循環水流を検出できないのは異常であると判断し、エラー信号を出力する（ステップ１１８）。
【００３１】
上記循環ポンプ８の駆動による追い焚き循環通路１１の循環水流の有無判断（ステップ１０３，１０６，１０９，１１２）の結果、水流スイッチ２４によって循環水流を検出できたと判断したときには、浴槽６の水位が循環金具２７の配設位置よりも上側の水位であると判断し、水位センサ１４により浴槽６の水位を検出し（ステップ１１３）、この水位センサ１４により検出された水位をリモコン２６に予め設定されている浴槽設定水位に比較し、上記検出水位が浴槽設定水位に達しているか否かを判断し（ステップ１１４）、上記水位センサ１４の検出水位が設定水位以下であると判断したときには、湯張り制御弁１３を開弁して給湯熱交換器１により加熱されていない水を浴槽６に注水しながら、水位センサ１４により検出される水位を監視し（ステップ１１６）、水位センサ１４の検出水位が設定水位に達したと判断したときに湯張り制御弁１３を閉弁して注水動作を停止する（ステップ１１７）。
【００３２】
注水制御部３０は、水位センサ１４により検出される水位が設定水位に達したことを検知したときに、上記の如く湯張り制御弁１３を閉弁して注水を停止すると共に、追い焚き開始指令を湯張り時追い焚き制御部３２に出力する。また、注水制御部３０は、浴槽６の水位が設定水位に達したことを検知した以降に、燃焼停止解除信号を給湯バーナ燃焼制御部３１に出力し、給湯バーナ燃焼制御部３１の燃焼停止状態を解除させる。
【００３３】
湯張り時追い焚き制御部３２は、上記注水制御部３０から追い焚き開始指令を受けると、循環ポンプ８を駆動させ、水流スイッチ２４のセンサ出力により追い焚き循環通路１１の循環水流を検知した後に、ガス供給通路１８に介設されている図示されていない電磁弁を開弁し、追い焚きバーナ１６に燃料ガスを供給して追い焚きバーナ１６の燃焼を開始し、上記循環ポンプ８の駆動による追い焚き循環通路１１の循環水流を追い焚き熱交換器２で追い焚きバーナ１６の燃焼火炎の熱により加熱して追い焚きを行う。
【００３４】
また、湯張り時追い焚き制御部３２は、風呂温度センサ２３により検出される風呂の温度を制御装置２５に予め定められている風呂設定温度に比較し、上記風呂温度センサ２３の検出温度が風呂の設定温度に達したと判断したときに、上記追い焚きバーナ１６の燃焼を停止して循環ポンプ８を停止し、浴槽６に設定水位の湯が張れて風呂の設定温度に沸き上がったことを報知するための沸き上がりブザー等の報知手段を作動させるための指令信号を出力する。
【００３５】
この実施形態例によれば、湯張り運転時には、まず、注水制御部３０によって給湯熱交換器１による加熱動作を停止し給湯加熱されていない水を浴槽６に設定水位まで注水してから、湯張り時追い焚き制御部３２により風呂の設定温度まで浴槽６の水温を高める構成としたので、湯張り運転中に、給湯熱交換器１から流れ出る水には給湯加熱に起因した気泡が発生しておらず、このことによって、給湯熱交換器１の出側から注湯通路１２と追い焚き循環通路１１を通って浴槽６に至るまでの湯張り通路内の水中には気泡が含有されておらず、湯張り運転により水位センサ１４による水位検出動作が行われるときには（例えば、図３に示すステップ１１３，１１６）、湯張り通路内の水中の気泡に起因して水位センサ１４により正確な浴槽水位を検出できないという問題発生を抑制することができ、水位センサ１４のセンサ出力により浴槽６の正確な水位を検出することができる。この結果、浴槽設定水位に精度良く湯張りを行うことが可能となる。
【００３６】
なお、浴槽６に設定水位まで注水を行うための注水制御手法には、上記図３のフローチャートに示した注水動作を行わせる注水制御手法以外にも、様々な手法があり、それら手法のうちのいずれの手法を用いてもよく、例えば、注水制御部３０は次のように浴槽への注水動作を制御してもよい。
【００３７】
例えば、図６に示すような浴槽への注水量（注湯量）Ｑと水位センサ１４により検出される浴槽水位Ｐとの関係データであるＰ−Ｑデータが予め与えられており、注水制御部３０は、湯張り開始指令が発せられると、前述したように循環ポンプ８を駆動して水流スイッチ２４により追い焚き循環通路１１の循環水流が検知されるか否かを判断することで、浴槽６の水位が循環金具２７よりも上側であるか否かを判断し、浴槽水位が循環金具２７よりも上側でないと判断したときには、予め定められた注水量を浴槽６に注水し、再度、上記のように循環ポンプ８を駆動して追い焚き循環通路１１の循環水流の有無判断を行う。
【００３８】
循環ポンプ８の駆動による追い焚き循環通路１１の循環水流を検出できたときには、浴槽水位が循環金具２７よりも上側にあり水位センサ１４による水位検出が可能であると判断し、水位センサ１４により浴槽水位を検出し、この検出された水位を基準水位として確定する。そして、この基準水位から制御装置２５に設定されている浴槽設定水位に達するのに必要な注水量を上記Ｐ−Ｑデータに基づき検出する。
【００３９】
具体的には、基準水位が図６に示すＰshに確定され、浴槽設定水位が図６に示すＰstに設定されているときには、上記Ｐ−Ｑデータに基づき、上記浴槽設定水位Ｐstに対応する注水量Ｑstから基準水位Ｐshに対応する注水量Ｑshを差し引いて、基準水位Ｐshから浴槽設定水位Ｐstに達するまでに必要な注水量ΔＱ（ΔＱ＝Ｑst−Ｑsh）を求めることができる。
【００４０】
注水制御部３０は、上記浴槽設定水位Ｐstに達するまでに要する注水量ΔＱを求めた後に、湯張り制御弁１３を開弁して上記求めた注水量ΔＱだけを浴槽６に注水し、その後、水位センサ１４により浴槽水位を検出し、検出された浴槽水位が浴槽設定水位に達しているか否かを判断・確認し、上記検出浴槽水位が浴槽設定水位に達したと判断したときには、上記同様に追い焚き開始指令を湯張り時追い焚き制御部３２に出力し、湯張り時追い焚き制御部３２の追い焚き動作により浴槽の水温を風呂設定温度まで高めさせる。
【００４１】
また、上記検出浴槽水位が浴槽設定水位に達していないと判断したときには、注水制御部３０は、上記Ｐ−Ｑデータに基づき、浴槽設定水位に達するまでに要する不足の注水量を求め、この求めた注水量だけ浴槽６に注水を行い、注水後、水位センサ１４により検出される浴槽水位が設定水位に達したか否かを判断し、検出水位が設定水位に達したと判断したときには上記の如く追い焚き開始指令を湯張り時追い焚き制御部３２に出力し、検出水位が設定水位に達していないと判断したときには上記の如く設定水位に達するまでの注水量を求めて該注水量だけ注水するという動作を繰り返し行わせる。
【００４２】
上記のように、注水制御部３０により注水動作を制御してもよい。この場合にも、水位センサ１４により水位検出動作が行われるときには、湯張り通路内は給湯熱交換器１により加熱されていない水で満たされているので、湯張り通路内の水中には加熱に起因した気泡が含有されておらず、上記気泡に起因して水位センサ１４により正確な水位を検出することができないという問題発生を防止することができ、水位センサ１４により正確な浴槽水位を確実に得ることができ、このことによって、精度良く設定水位に湯張りを行うことができる。
【００４３】
以下に、第２の実施形態例を説明する。この実施形態例は前記図５に示すシステム構成を有し、図４にはこの実施形態例において特徴的な制御構成が示されている。この第２の実施形態例では、湯張り運転によって給湯熱交換器１により加熱された湯を浴槽６に注湯し、浴槽設定水位に達する直前に注湯動作から注水動作に切り換えて設定水位まで注水を行い、この注湯から注水への切り換えによって、湯張り通路内の湯を給湯熱交換器１により加熱されていない水に置換し、この状態で水位センサ１４により水位検出を行う構成を備えている。
【００４４】
この実施形態例に示す制御装置２５は、図４の実線に示すように、注水制御部３４と、注湯・注水切り換え制御部３５と、給湯バーナ燃焼制御部３１と、注湯制御部３６と、追い焚き制御部３７とを有して構成されている。なお、上記給湯バーナ燃焼制御部３１の制御構成は前記第１の実施形態例と同様であるので重複説明は省略する。
【００４５】
注湯制御部３６は、上記注湯・注水切り換え制御部３５から注湯指令を受け取ると、湯張り制御弁１３を開弁して給湯バーナ燃焼制御部３１により給湯バーナ１５の燃焼を開始させて給湯熱交換器１の通水を給湯バーナ１５の燃焼熱によって加熱し、給湯熱交換器１から流れ出た湯を給湯通路４と注湯通路１２と追い焚き循環通路１１から成る湯張り通路を介して浴槽６に注湯させ、注湯・注水切り換え制御部３５から注湯停止指令を受け取ると、湯張り制御弁１３を閉弁して湯張り制御弁１３の通水を停止し給湯バーナ燃焼制御部３１による給湯バーナ１５の燃焼動作を停止させて注湯動作を終了するように構成されている。
【００４６】
注湯・注水切り換え制御部３５は、リモコン２６に設けられている湯張り開始ボタン等が押されて湯張り開始指令が発せられたことを検知すると、前述したような循環ポンプ８と水流スイッチ２４を利用した浴槽６の湯水有無判断動作と、注湯指令又は注湯停止指令を注湯制御部３６に発して注湯制御部３６による注湯動作とを制御して、浴槽設定水位よりも低めの予め定められた切り換え水位まで浴槽６に湯を張る。つまり、上記第１の実施形態例に示した注水制御部３０による注水動作を注湯動作に代えて、注湯・注水切り換え制御部３５は、上記浴槽設定水位よりも低めの予め定めた切り換え水位まで浴槽６に湯を張る。
【００４７】
上記切り換え水位は浴槽設定水位よりも予め定められた水位Δｈだけ低めの水位であり、上記水位Δｈは、給湯熱交換器１から注湯通路１２と追い焚き循環通路１１を順に通って浴槽６に至るまでの湯張り通路の容積に対応する予め定まる注水量（例えば、約５リットル）によって上昇する変化水位量であり、予め実験や演算等によって求まる。このことから、制御装置２５に設定されている浴槽設定水位から上記設定の水位Δｈを差し引くことによって、上記切り換え水位を求めることができる。
【００４８】
注湯・注水切り換え制御部３５は、水位センサ１４により検出される浴槽水位の情報に基づき浴槽水位が浴槽設定水位よりも水位Δｈ分だけ低めの切り換え水位に達したことを検知したときに（又は、Ｐ−Ｑデータに基づいて注湯制御が行われるときには基準水位が確定された後にその確定した基準水位から切り換え水位に達するのに要する注湯量の落とし込みが終了したときに）、注湯制御部３６に注湯停止指令を発すると同時に、注水指令を注水制御部３４に発し、注湯制御部３６による注湯動作から次に示す注水制御部３４による注水動作に切り換える。
【００４９】
注水制御部３４は、上記注水指令を受け取ると、燃焼停止指令を給湯バーナ燃焼制御部３１に出力し、給湯バーナ燃焼制御部３１による給湯バーナ１５の燃焼動作を停止させ、このように、給湯バーナ１５の燃焼が停止している状態で、給湯熱交換器１から加熱されていない水を湯張り通路を通して浴槽６に注水し、湯張り通路内を湯から水に置換する。
【００５０】
注湯・注水切り換え制御部３５は、注湯動作から注水動作に切り換えて、上記切り換え水位から設定水位に達するのに要する予め定められた注水量（つまり、湯張り通路内の容積に対応する注水量）を注水制御部３４による注水動作により浴槽６に注水し終えたときに、注水停止指令を注水制御部３４に出力し、注水制御部３４は湯張り制御弁１３を閉弁して浴槽６への注水動作を終了する。
【００５１】
注湯・注水切り換え制御部３５は、この状態で、つまり、湯張り通路内が湯から水に置換し終え、湯張り通路の水中に給湯加熱に起因した気泡が含有されていない状態で水位センサ１４により水位検出を行い、水位センサ１４により検出された浴槽水位を設定水位に比較し、浴槽水位が設定水位に達していないと判断したときには、設定水位に対する不足分を注水制御部３４により給湯加熱されていない水を注水し、湯張り通路内の水中に気泡がない状態を維持し、この状態で水位センサ１４により水位検出を再び行い、水位センサ１４の検出浴槽水位が設定水位に達したと判断したときに、湯張り終了信号を追い焚き制御部３７に出力する。
【００５２】
追い焚き制御部３７は、上記湯張り終了信号を受けて、循環ポンプ８を駆動し、風呂温度センサ２３により風呂温度を検出し、この検出された風呂の温度を制御装置２５に設定されている風呂の設定温度に比較し、上記検出風呂温度が風呂設定温度よりも予め定めた許容温度（例えば、３℃）を越えて低いときには、追い焚きバーナ１６の燃焼を開始させ浴槽６の湯温を風呂設定温度に高める。
【００５３】
また、追い焚き制御部３７は風呂温度センサ２３による検出風呂温度が風呂設定温度であると判断したときに、風呂が沸き上がったことを知らせるために沸き上がり信号を出力して沸き上がりブザー等の報知手段によって風呂が沸き上がったことを報知させる。
【００５４】
この実施形態例によれば、湯張り運転中の注湯により浴槽６の水位が設定水位に達する直前に、注湯動作から注水動作に切り換え、湯張り通路内が湯から水に置換された後に、水位センサ１４による水位検出動作を行わせる構成を備えたので、設定水位に達したか否かの判断（確認）を行うための水位センサ１４による水位検出動作時には、湯張り通路内は水であることから、つまり、湯張り通路内の水中には加熱に起因した気泡がないことから、気泡に起因して正確な浴槽水位を水位センサ１４により得ることができないという問題を確実に回避することができ、このことによって、設定水位に精度良く湯張りを行うことができる。
【００５５】
また、湯張り運転中に注湯から注水に切り換えることによって、湯張りが完了したときの風呂の温度が風呂設定温度よりも僅かに低めとなるが、例えば、１９５リットルの４０℃の湯に５リットルの１８℃の水が注水されるという如く、設定温度の湯量に対する注水量は非常に少なく、注水による湯温の低下は非常に僅かであり、ほぼ風呂設定温度に湯を張ることができる。仮に、浴槽水位が設定水位に達したときに風呂の温度が風呂設定温度よりも許容温度を越えて低めになってしまったときには、この実施形態例では、追い焚きを行う構成としたので、湯張り終了後に風呂設定温度に高めることができる。
【００５６】
さらに、上記実施形態例では、設定水位に達する直前まで給湯熱交換器１により加熱された湯を浴槽６に注湯しており、給湯バーナ１５の加熱熱量は通常追い焚きバーナ１６の加熱熱量よりも格段に大きくすることができることから、前記第１の実施形態例に示すように設定水位まで水を張ってから追い焚きを行う場合に比べて、湯張り運転を開始してから設定水位に風呂設定温度の湯を張るのに要する時間を短くすることができる。
【００５７】
以下に、第３の実施形態例を説明する。この実施形態例において特徴的なことは、前記第２の実施形態例の制御構成に加えて、図４の点線に示すような注湯温度制御部３８を設けたことである。それ以外の構成は前記第２の実施形態例と同様であり、その供給部分の重複説明は省略する。
【００５８】
ところで、上記第２の実施形態例のように、湯張り運転中に、風呂の設定温度の湯を給湯熱交換器１から浴槽６に供給する注湯動作から、給湯熱交換器１により加熱されていない水を浴槽６に供給する注水動作に切り換えた場合には、浴槽６の水位が設定水位に達したときに浴槽６の湯温が設定温度よりも僅かに低めになる虞がある。
【００５９】
そこで、この実施形態例では、上記注水動作に起因した湯温の低下を考慮して、注湯中に給湯熱交換器１から浴槽６に供給される湯の温度を風呂設定温度よりも高めに制御し、浴槽６の水位が浴槽設定水位に達したときに浴槽６の湯温が風呂の設定温度となるように制御する注湯温度制御部３８の構成を備えたことを特徴とする。
【００６０】
上記注湯温度制御部３８には、湯張り運転中における注湯制御部３６による注湯動作中に、入水サーミスタ２１により検出される入水温度Ｔinと、制御装置２５に設定されている風呂設定温度Ｔstと、注湯制御部３６の注湯動作により浴槽６に注湯される予め求まる注湯量Ｑyuと、注水制御部３４の注水動作により浴槽６の注水される予め求まる注水量Ｑmzとに基づき、注湯制御部３６による注湯温度Ｔyuを求めるための注湯温度検出データが次のように予め定め与えられている。
【００６１】
Ｔyu＝（（Ｑyu＋Ｑmz）・Ｔst−Ｑmz・Ｔin）／Ｑyu・・・・・（１）
【００６２】
上記注湯制御部３６の注湯動作により浴槽６に注湯される注湯量Ｑyuは次のようにして求めることができる。例えば、浴槽水位Ｐと浴槽６への注湯量Ｑとの関係を示す図６に示すようなＰ−Ｑデータは予め求めて与えられており、上記Ｐ−Ｑデータと制御装置２５に設定されている浴槽設定水位とに基づき、例えば、浴槽設定水位が図６に示すＰstに設定されているとき、図６に示すＰ−Ｑデータに基づき浴槽６への注湯量はＱstであると求めることができ、また、注水制御部３４による注水量Ｑmzは湯張り通路の容積に対応する予め定まる注水量であることから、上記設定注湯量Ｑstから上記注水量Ｑmzを差し引くことによって注湯量Ｑyuが求まる。
【００６３】
注湯温度制御部３８は、浴槽設定水位とＰ−Ｑデータに基づいて求めた注湯量Ｑyuと、予め与えられた注水量Ｑmzと、上記入水サーミスタ２１により検出される入水温度Ｔinと、制御装置２５に設定されている風呂設定温度Ｔstと、上記注湯温度検出データとに基づき、注湯温度Ｔyuを求め、この求めた注湯温度情報を給湯バーナ燃焼制御部３１に出力し、給湯バーナ燃焼制御部３１により給湯熱交換器１から流れ出る湯温が上記求めた注湯温度Ｔyuとなるように給湯バーナ１５の加熱熱量を制御させる。
【００６４】
この実施形態例によれば、前記第２の実施形態例と同様に、浴槽６の水位が設定水位に達する直前に注湯動作から注水動作に切り換え、湯張り通路内を湯から水に置換させ、この状態で、水位センサ１４による検出動作を行うように構成されていることから、前記各実施形態例と同様に、設定水位直前の水位センサ１４による水位検出動作時には、湯張り通路内の水中に加熱に起因した気泡は存在せず、気泡によって水位センサ１４に基づき正確な水位を得ることができないという問題を確実に回避することができ、精度良く設定水位に湯を張ることができる。
【００６５】
また、この実施形態例では、注水動作による注水によって低下する浴槽湯温を考慮して、注湯の温度を風呂設定温度よりも高めにし、浴槽水位が設定水位に達したときに浴槽温度が風呂設定温度となるように注湯中の給湯バーナ１５の加熱熱量を制御するので、設定水位まで湯水が注がれたときに風呂の温度は設定温度になっており、浴槽水位が設定水位に達した以降に風呂温度を風呂設定温度に高めるための追い焚きが不要であり、追い焚きを行わなくて済む分、風呂の沸き上がりまでに要する時間の短縮を図ることができる。
【００６６】
なお、この発明は上記各実施形態例に限定されるものではなく、様々な実施の形態を採り得る。例えば、上記各実施形態例では、注水制御部３０，３４により浴槽６に注水を行うときには、給湯熱交換器１により加熱されていない水を湯張り通路から浴槽６に注水したが、給湯熱交換器１により気泡が発生しない温度に加熱された湯を浴槽６に注水するようにしてもよい。
【００６７】
気泡が発生する気泡飽和温度Ｔkhは、給湯熱交換器１に流れ込む入水温度Ｔinから、給水通路３の水に加えられている圧力Ｕに応じて定まる温度上昇分ΔＴ（ΔＴ＝ｋ・Ｕ（ｋは定数））だけ上昇した温度であり、次式（２）により示すことができる。
【００６８】
Ｔkh＝Ｔin＋ΔＴ・・・・（２）
【００６９】
給水通路３の水に加えられる圧力は通常予め定まるので、上記式（２）に示すΔＴは予め定まり与えておくことができることから、注水制御部３０，３４は入水サーミスタ２１により検出される入水温度Ｔinと上記式（２）に基づき、気泡飽和温度Ｔkhを求め、この求めた気泡飽和温度Ｔkhを越えない予め定めた温度（例えば、上記気泡飽和温度Ｔkhよりも予め定めた温度（例えば、３℃）だけ低めの温度）まで給湯熱交換器１により加熱された湯を湯張り通路から浴槽６に注水してもよい。
【００７０】
この場合には、気泡が発生しない温度まで給湯熱交換器１により加熱された水が給湯熱交換器１から湯張り通路を通って浴槽６に注水されるので、この注水制御部による注水動作によって湯張り通路内を気泡がない水で満たすことができ、このように気泡がない水で湯張り通路が満たされている状態で、水位センサ１４による水位検出動作を行うことによって、気泡に起因して正確な水位を得ることができないという問題を確実に回避することが可能である。
【００７１】
また、上記第２又は第３の実施形態例では、注湯・注水切り換え制御部３５によって、注湯制御部３６による注湯動作から注水制御部３４による注水動作に切り換えるタイミングは設定水位に達する直前であったが、湯張り運転中には上記設定水位の直前以外に水位センサ１４により浴槽水位を検出するタイミングがあることから、それら湯張り運転中の水位センサ１４による浴槽水位検出動作を行う度に、その水位検出タイミング直前に、上記注湯から注水への切り換えを行って湯張り通路内を気泡がない水で満たし、この状態で水位センサ１４による水位検出動作を行ってもよいし、上記複数の水位検出動作タイミングのうちの予め定められたタイミングの直前だけに、上記注湯動作から注水動作に切り換え湯張り通路内を気泡がない水で満たし、この状態で水位センサ１４による水位検出動作を行うようにしてもよい。
【００７２】
さらに、上記第２又は第３の実施形態例では、注湯・注水切り換え制御部３５は、注湯動作から注水動作に切り換えた後、水量センサ２０のセンサ出力に基づいた注水量を監視しながら予め定められた注水量だけ注水制御部３４により浴槽６に注水を行わせていたが、例えば、注水制御部３４による注水動作によって湯張り通路内の容積に対応する注水量を注水するのに要する時間を予め求め、注湯動作から注水動作に切り換えてから上記求めた時間を経過するまで、注水制御部３４により注水動作を行わせるようにしてもよい。
【００７３】
さらに、上記第３の実施形態例では、注湯温度検出データは前記式（１）に示すような演算式データであったが、入水温度Ｔinと、風呂設定温度Ｔstと、注湯制御部３６により浴槽６に注湯される注湯量Ｑyuと、注水制御部３４の注水動作による注水量Ｑmzと、注湯制御部３６により注湯の湯温Ｔyuに基づき、浴槽水位が設定水位に達したときに、浴槽６の湯温が風呂設定温度になるための注湯温度Ｔyuを求めるための注湯温度検出データを表データや、グラフデータ等により構成してもよい。
【００７４】
さらに、上記各実施形態例では、図５に示すシステム構成の器具を例にして説明したが、給湯熱源器により加熱された湯を浴槽に落とし込む湯張り通路を備えた湯張り機能付き給湯器であれば、図５に示す器具以外のシステム構成の湯張り機能付き給湯器にも、この発明は適用することができる。例えば、上記図５に示す湯張り機能付き給湯器では、給湯熱交換器１と追い焚き熱交換器２にそれぞれ対応するバーナ１５，１６が別個に設けられた二缶二水路タイプのものであったが、上記給湯熱交換器１と追い焚き熱交換器２が一体的に形成され、その一体化した給湯熱交換器１と追い焚き熱交換器２を共通に燃焼加熱するバーナが設けられている一缶二水路タイプの湯張り機能付き給湯器にも、この発明は適用することができるし、また、水位センサ１４は注湯通路１２に配設されていたが、水位センサ１４は湯張り通路に設けられていればよく、例えば、追い焚き循環通路１１に水位センサ１４を設けてもよい。また、図５に示す給湯熱交換器１と給湯バーナ１５に代えて、給湯熱源器として電気温水器等の熱源器を設けてもよい。
【００７５】
さらに、この発明は、図７に示すような湯張り機能付き給湯器にも適用することができる。この図７に示す湯張り機能付き給湯器は、前記図５に示す追い焚き循環通路１１と追い焚きバーナ１６と注湯通路１２と湯張り制御弁１３等が省略され、図７に示すように、給湯通路４から分岐して浴槽６に連通する通路４０が設けられ、該通路４０には浴槽６からの湯水の逆流を防止する逆止弁４１，４２と、通路４０の開閉を行うと共に水位センサ１４への湯水の流れを制御する三方弁４３とが介設されている。
【００７６】
この図７に示す湯張り機能付き給湯器では、給湯熱交換器１を通った水又は湯を浴槽６に落とし込むことができるように三方弁４３を切り換えることによって、給湯熱交換器１を通った湯水を浴槽６に落とし込むことができ、また、給湯熱交換器１から浴槽６に湯水を落とし込んでいるときに水位センサ１４側をも開状態とすることによって、注湯（又は湯水）を行いながら水位センサ１４により水位検出を行うことができる。また、この図７に示す給湯器では、例えば５０℃以上の高温湯を通路４０を通して注湯する際に、三方弁４３の水位センサ１４側を閉状態とすることによって、水位センサ１４へ高温が流れず、高温湯による水位センサ１４の熱破損を回避することができる。
【００７７】
上記のような図７に示す湯張り機能付き給湯器にも、この発明を適用することによって、上記各実施形態例と同様に、給湯加熱に起因して発生した気泡による問題を確実に回避することができる。
【００７８】
【発明の効果】
湯張り動作時に水位検出手段により水位検出を行う前には、給湯熱源器の加熱動作を停止して給湯熱源器により加熱されていない水を湯張り通路から浴槽に注水する注水制御部を設けた構成を備えたものにあっては、例えば、上記注水制御部により浴槽設定水位まで水を落とし込み、この後に、追い焚きを行って風呂の設定温度まで高めることにより、注水中には、給湯熱源器の加熱動作は停止されているので、給湯熱源器により加熱されていない水が湯張り通路内を満たすことになり、湯張り通路内の水中に気泡が点在するのを回避することができる。
【００７９】
これに対して、給湯熱源器により風呂設定温度まで加熱された湯水には、給湯熱源器に供給される水に溶存していた酸素等が給湯熱源器による加熱によって気泡となって含有されており、このような気泡を含有した風呂設定温度の湯水が湯張り通路内を満たす場合には、これら気泡に起因して水位検出手段により検出される水位が不正確なものとなり、このことによって、浴槽設定水位に精度良く湯を張ることができないという問題が生じるが、上記の如く、この発明では、湯張り通路内の水中に風呂設定温度まで加熱することに起因した気泡が点在するのを回避することができるので、水位検出手段により正確な浴槽水位を得ることができ、浴槽設定水位に精度良く湯を張ることができる。
【００８０】
注湯・注水切り換え制御部を設け、該注湯・注水切り換え制御部によって水位検出動作を行うタイミングの直前に注湯動作から注水動作に切り換え、湯張り通路内が湯から水に切り換えられた状態で水位検出手段による水位検出動作を行う構成を備えたものにあっては、水位検出手段により水位検出を行うときには、湯張り通路内は気泡を含有していない水によって満たされているので、上記同様に、気泡に起因して正確な浴槽水位を水位検出手段によって得ることができないという問題を確実に回避することができ、水位検出手段によって正確な水位を得ることができ、このことによって、設定水位に精度良く湯を張ることができる。
【００８１】
浴槽水位が設定水位に達する直前にのみ、上記注湯・注水切り換え制御部により注湯動作から注水動作に切り換える構成を備えたものにあっては、浴槽に注湯される注湯量に対する注水量が少なくなるので、その注水による浴槽湯温の低下を非常に少なく抑えることができ、湯張り運転によって浴槽水位に達したときに風呂温度をほぼ風呂設定温度にすることができる。
【００８２】
上記注湯・注水切り換え制御部により注湯と注水を切り換える構成に加えて、注水により浴槽湯温が低下する温度低下分を考慮して、浴槽に注湯する湯温を風呂設定温度よりも高めに制御し、浴槽水位が設定水位に達したときの浴槽湯温を風呂設定温度に制御する注湯温度制御部の構成を設けたものにあっては、浴槽水位が設定水位に達したときに、そのときの浴槽温度が風呂設定温度になっているので、浴槽水位が設定水位に達した後に、注水によって低下した浴槽温度を風呂の設定温度まで高めるための追い焚きを行う必要がなく、追い焚きを行わなくて済む分、浴槽設定水位に風呂設定温度の湯を張るのに要する時間の短縮を図ることができる。
【００８３】
気泡飽和温度を越えない温度に加熱された水を湯張り通路から浴槽に落とし込む注水制御部の構成を備えたものにあっては、気泡が発生しない温度に加熱された水を注水制御部によって浴槽に注水することができるので、給湯熱源器により加熱されていない水を湯張り通路から浴槽に注水する場合に比べて、注水による浴槽湯温の低下を抑制することができ、湯張り運転を開始してから設定水位に風呂設定温度の湯を張るのに要する時間を短縮することができる。
【図面の簡単な説明】
【図１】この発明にかかる第１の実施形態例を示す説明図である。
【図２】浴槽への注水動作例を示すための浴槽モデル図である。
【図３】湯張り運転動作の一例を示すフローチャートである。
【図４】第２と第３の実施形態例を示す説明図である。
【図５】湯張り機能付き給湯器の一例を示すモデル図である。
【図６】注湯量と、水位検出手段により検出された浴槽水位との関係例を示すグラフである。
【図７】湯張り機能付き給湯器のその他の例を示すモデル図である。
【符号の説明】
１  給湯熱交換器
２  追い焚き熱交換器
６  浴槽
１１  追い焚き循環通路
１２  注湯通路
１４  水位センサ
３０  注水制御部
３２  湯張り時追い焚き制御部
３４  注水制御部
３５  注湯・注水切り換え制御部
３６  注湯制御部
３８  注湯温度制御部
【図１】
0003859830.tif 000002
【図２】
0003859830.tif 000003
【図３】
0003859830.tif 000004
【図４】
0003859830.tif 000005
【図５】
0003859830.tif 000006
【図６】
0003859830.tif 000007
【図７】
0003859830.tif 000008